(57)【要約】      （修正有）【課題】皮膚への流体注入率を高めるローラー型流体注入装置を提供する。【解決手段】ローラー型流体注入装置は、流体が収容され、流体の吐出される吐出部１００ａを有する収容部材１００と、収容部材の吐出部に連係され、皮膚に、針部材２１０をローリング圧迫して微細孔を形成させるとともに、吐出部から針部材側につながる流体の流路を開放させ、収容部材の吐出部を通過した流体を微細孔を介して皮膚に注入させる開閉部材２３０を有する注入ユニット２００とを含む。【選択図】図２
0003218942.tif 000002
【実用新案登録請求の範囲】
【請求項１】
流体が収容され、前記流体の吐出される吐出部を有する収容部材と、
前記収容部材の吐出部に連係され、皮膚に針部材をローリング圧迫して微細孔を形成させるとともに、前記吐出部から前記針部材側につながる前記流体の流路を開放させ、前記収容部材の吐出部を通過した前記流体を前記微細孔を介して皮膚に注入させる注入ユニットとを含む、ローラー型流体注入装置。
【請求項２】
前記注入ユニットは、
ローラー状のボディ部、及び前記ボディ部に複数取り付けられた前記針部を有する針部材と、
前記針部材が回転可能に装着され、内部に設けられた前記流体の流路が皮膚に対する前記針部材のローリング圧迫により開放され、弾性部材の弾性復元力により遮断されるように構成されるハウジング組立体とを備えることを特徴とする、請求項１に記載のローラー型流体注入装置。
【請求項３】
前記ハウジング組立体は、
前記収容部材の吐出部に設置され、前記流体の流路として、前記吐出部に連通する中空が形成された連結ハウジングと、
前記連結ハウジングの中空に貫通配置され、前記中空の外部に位置した部分には前記針部材が装着され、皮膚に対する前記針部材のローリング圧迫により移動して前記中空を開放させる開閉部材と、
皮膚に対する前記針部材のローリング圧迫が解除されるときに弾性復元力によって前記開閉部材を復帰させて前記中空を遮断するように、前記連結ハウジングに支持されて前記開閉部材を弾性支持する前記弾性部材とを備えることを特徴とする、請求項２に記載のローラー型流体注入装置。
【請求項４】
前記連結ハウジングの中空は、前記収容部材の吐出部の反対側にテーパーすることを特徴とする、請求項３に記載のローラー型流体注入装置。
【請求項５】
前記開閉部材は、
前記連結ハウジングの中空に貫通配置され、前記連結ハウジングの中空を遮断するように、前記収容部材の吐出部側の端部に側方向に拡張された拡張部が設けられた開閉バーと、
前記開閉バーにおける、前記中空の外部側の端部に連結され、前記針部材が回転できるように前記針部材の両側部を支持する針ホルダーとを備えることを特徴とする、請求項３に記載のローラー型流体注入装置。
【請求項６】
前記開閉バーは、外周面が前記連結ハウジングの中空内面から離隔し、或いは外周面に前記中空と連通する溝条が長さ方向に沿って設けられることを特徴とする、請求項５に記載のローラー型流体注入装置。
【請求項７】
前記針ホルダーは、前記開閉バーが貫通締結される貫通ホールを有し、前記針ホルダーにおける、前記収容部材の吐出部側の一面には、前記貫通ホールを中心部にしながら前記収容部材の吐出部の反対側にテーパーした収集溝が設けられることを特徴とする、請求項５に記載のローラー型流体注入装置。
【請求項８】
前記連結ハウジングは、前記針ホルダーが引き込み配置されたローラー溝が設けられ、前記ローラー溝には、内部側面に前記針ホルダーの両側部が引き込まれて前記針ホルダーの上下方向の移動をガイドするガイド溝が形成されることを特徴とする、請求項５に記載のローラー型流体注入装置。
【考案の詳細な説明】
【技術分野】
【０００１】
本考案は、ローラー型流体注入装置であって、皮膚のケアや治療などに使用される化粧品、または毛髪の治療などに使用される治療液などの流体が収容されたローラー型流体注入装置に関する。
【背景技術】
【０００２】
一般に、ヒトの皮膚は、表皮（外皮）層、真皮（内皮）層、皮下組織層に分けられるが、健康で若い皮膚は、真皮層の約８０％がコラーゲンやエラスチンなどで満たされている。
【０００３】
しかし、真皮層は、時間が経つほどコラーゲン及びエラスチンの量が著しく減少（収縮）し、これにより、真皮層が薄くなって肌が乾いたり肌にシワが生じたりして肌の弾力が減少する。
【０００４】
したがって、ハリのある肌を維持するために、コラーゲンやエラスチンなどの生成に役立つ各種栄養物質、例えばビタミンＣやペプチドなどの物質（機能性化粧品）を皮膚に塗布することにより防止してきた。
【０００５】
ところが、肌に塗布された栄養物質が表皮層を通過して真皮層に浸透される量は、全体含有量の０．３％前後であって、相当微々たるものに過ぎない。
【０００６】
このように、前述した各種栄養物質を単に皮膚の表皮層に塗布するだけではその効果の発揮に非常に微弱なので、このような栄養物質を、皮膚の内部に位置する真皮層まで損失なしに効率よく浸透させる機構の開発が早急に求められる実情である。
【先行技術文献】
【特許文献】
【０００７】
【特許文献１】韓国公開特許第２０１０−１６８６２２６号公報
【考案の概要】
【考案が解決しようとする課題】
【０００８】
本考案は、かかる問題点を解決するためになされたもので、その目的は、皮膚への薬物などの吸収を誘導するローラー型流体注入装置を提供することにある。
【課題を解決するための手段】
【０００９】
上記の目的を達成するために、本考案の一実施形態に係るローラー型流体注入装置は、流体が収容され、前記流体の吐出される吐出部を有する収容部材と；前記収容部材の吐出部に連係され、皮膚に針部材をローリング圧迫して微細孔を形成させるとともに、前記吐出部から前記針部材側につながる前記流体の流路を開放させ、前記収容部材の吐出部を通過した前記流体を前記微細孔を介して皮膚に注入させる注入ユニットと；を含む。
【００１０】
ここで、前記注入ユニットは、ローラー状のボディ部、及び前記ボディ部に複数取り付けられた前記針部を有する針部材と、前記針部材が回転可能に装着され、内部に設けられた前記流体の流路が皮膚に対する前記開閉部材のローリング圧迫により開放され、弾性部材の弾性復元力により遮断されるように構成されるハウジング組立体とを備えてもよい。
【００１１】
具体的に、前記ハウジング組立体は、前記収容部材の吐出部に設置され、前記流体の流路として、前記吐出部に連通する中空が形成された連結ハウジングと；前記連結ハウジングの中空に貫通配置され、前記中空の外部に位置した部分には前記針部材が装着され、皮膚に対する前記針部材のローリング圧迫により移動して前記中空を開放させる開閉部材と；皮膚に対する前記針部材のローリング圧迫が解除されるときに弾性復元力によって前記開閉部材を復帰させて前記中空を遮断するように、前記連結ハウジングに支持されて前記開閉部材を弾性支持する前記弾性部材と；を備えてもよい。
【００１２】
この際、前記連結ハウジングの中空は、前記収容部材の吐出部の反対側にテーパーしてもよい。
【００１３】
前記開閉部材は、前記連結ハウジングの中空に貫通配置され、前記連結ハウジングの中空を遮断するように、前記収容部材の吐出部側の端部に側方向に拡張された拡張部が設けられた開閉バーと、前記開閉バーにおける、前記中空の外部側の端部に連結され、前記針部材が回転できるように前記針部材の両側部を支持する針ホルダーとを備えてもよい。
【００１４】
ここで、前記開閉バーは、外周面が前記連結ハウジングの中空内面から離隔し、或いは外周面に前記中空と連通する溝条が長さ方向に沿って設けられてもよい。
【００１５】
また、前記針ホルダーは、前記開閉バーが貫通締結される貫通ホールを有し、前記針ホルダーにおける、前記収容部材の吐出部側の一面には、前記貫通ホールを中心部にしながら前記収容部材の吐出部の反対側にテーパーした収集溝が設けられてもよい。
【００１６】
また、前記連結ハウジングは、前記針ホルダーが引き込み配置されたローラー溝が設けられ、ローラー溝には、内部側面に前記針ホルダーの両側部が引き込まれて前記針ホルダーの上下方向の移動をガイドするガイド溝が設けられてもよい。
【考案の効果】
【００１７】
本考案に係るローラー型流体注入装置は、皮膚に針部材をローリング圧迫して微細孔を形成させるとともに、吐出部から針部材側につながる流体の流路を開放させ、収容部材の吐出部を通過した流体を微細孔を介して皮膚に注入させるように注入ユニットを含むことにより、針部材によって皮膚に微細孔を短時間で多く穿設するとともに微細孔を介して大量の流体を皮膚に注入させるので、皮膚への流体注入率を向上させることができるという効果を持つ。
【図面の簡単な説明】
【００１８】
【図１】本考案の一実施形態に係るローラー型流体注入装置を示す斜視図である。
【図２】図１のローラー型流体注入装置を示す分解斜視図である。
【図３】図２のローラー型流体注入装置を示す縦断面図である。
【図４】図３のローラー型流体注入装置を組み立てたことを示す組立図である。
【図５】図４のローラー型流体注入装置において針部材が皮膚にローリング圧迫されながら流体が移動することを示す図である。
【図６】図２のローラー型流体注入装置における開閉バーを示す斜視図である。
【図７】図２のローラー型流体注入装置における針ホルダーの底部を示す斜視図である。
【考案を実施するための形態】
【００１９】
以下、本考案の例示的な図面を参照して詳細に説明する。各図面の構成要素に図面符号を付加するにあたり、同一の構成要素については、たとえ他の図面上に表示されても、できる限り同一の符号を持つようにしていることに留意する。また、本考案を説明するにあたり、関連した公知の構成または機能についての具体的な説明が、本考案の要旨を曖昧にするおそれがあると判断された場合、その詳細な説明は省略する。
【００２０】
図１は本考案の一実施形態に係るローラー型流体注入装置を示す斜視図、図２は図１のローラー型流体注入装置を示す分解斜視図、図３は図２のローラー型流体注入装置を示す縦断面図である。
【００２１】
また、図４は図３のローラー型流体注入装置を組み立てたことを示す組立図、図５は図４のローラー型流体注入装置において針部材が皮膚にローリング圧迫されながら流体が移動することを示す図である。
【００２２】
さらに、図６は図２のローラー型流体注入装置における開閉バーを示す斜視図、図７は図２のローラー型流体注入装置における針ホルダーの底部を示す斜視図である。
【００２３】
図面を参照すると、本考案に係るローラー型流体注入装置１０００は、収容部材１００と注入ユニット２００とを含む。
【００２４】
ここで、前記収容部材１００は、内部に流体が収容される収容空間を有し、収容された流体が外部に出てくる通路として、上部に吐出部が設けられるが、外形を含む具体的な形状は、本考案によって限定されず、液体を収容することができる、吐出部がある構造であれば、従来の如何なる構造も活用できる。
【００２５】
ちなみに、前記流体は、皮膚１のケアや治療などに使用される化粧品、または毛髪の治療などに使用される治療液などが活用できる。
【００２６】
また、前記注入ユニット２００は、収容部材１００の吐出部１００ａに連係され、皮膚１に針部材２１０をローリング圧迫して微細孔を形成させるとともに、吐出部１００ａから針部材２１０側につながる流体の流路を開放させるように構成される。これにより、収容部材１００の吐出部１００ａを通過した流体を微細孔を介して皮膚１に注入させる役割を果たす。
【００２７】
具体的に、前記注入ユニット２００は針部材２１０とハウジング組立体Ｈとを備えることができる。
【００２８】
ここで、前記針部材２１０は、ボディ部２１１と針部２１２からなるが、このとき、ボディ部２１１は、ローラー状をし、針部２１２は、このようなボディ部２１１に複数個が互いに一定間隔離隔して配置された構造を持つ。
【００２９】
このような針部材２１０は、ボディ部２１１が皮膚１に圧迫されながら転がると、すなわちローリング圧迫されると、ローリングされる方向に皮膚１に多くの微細孔を形成させ、後述するように、収容部材１００の吐出部１００ａを介して出てきた流体が、針部材２１０に設けられた複数の針部２１２それぞれへ流れて皮膚１に注入される。
【００３０】
また、前記ハウジング組立体Ｈは、針部材２１０が回転可能に装着され、内部に設けられた流体の流路が皮膚１に対する針部材２１０のローリング圧迫により開放され、弾性部材２４０の弾性復元力により遮断されるように構成できる。
【００３１】
具体的に、前記ハウジング組立体Ｈは、連結ハウジング２２０、開閉部材２３０、および弾性部材２４０を備えることができる。
【００３２】
ここで、前記連結ハウジング２２０は、収容部材１００の吐出部１００ａに設置され、前記流体の流路として、吐出部１００ａと連通する中空２２０ａが形成される。これにより、収容部材１００の吐出部を介して吐出された流体は、連結ハウジング２２０の中空２２０ａに流入して中空２２０ａに沿って移動する。
【００３３】
さらに、前記連結ハウジング２２０は、後述する開閉部材の針ホルダー２３２が引き込み配置されたローラー溝２２０ｂを有し、前記ローラー溝２２０ｂには、内部側面に針ホルダー２３２の両側部が引き込まれて針ホルダー２３２の上下方向の移動をガイドするガイド溝２２０ｃが設けられてもよい。このようなガイド溝２２０ｃは、前記連結ハウジング２２０の内側で針部材２１０が上下移動するときに針ホルダー２３２を強固にガイドすることにより、円滑かつ安定的な移動を実現するようにする。
【００３４】
また、前記開閉部材２３０は、連結ハウジング２２０の中空２２０ａに貫通配置され、中空２２０ａの外部に位置した部分には針部材２１０が装着され、皮膚１への針部材２１０のローリング圧迫によって移動して中空２２０ａを開放させる構造を取る。すなわち、図５に示すように、針部材２１０が皮膚１にローリング圧迫される場合には、針部材２１０が収容部材１００側に移動した分だけ開閉部材２３０が共に移動することにより、連結ハウジング２２０の中空２２０ａを塞がなくなる。ちなみに、このときの弾性部材２４０は、開閉部材２３０によって上側に圧縮される。
【００３５】
また、前記弾性部材２４０は、連結ハウジング２２０に支持されて開閉部材２３０を弾性支持するが、皮膚１への針部材２１０のローリング圧迫が解除されるとき、弾性復元力によって開閉部材２３０を下方に押して開閉部材２３０の位置を復帰させることにより中空２２０ａを遮断する。すなわち、図４に示すように、皮膚１への針部材２１０のローリング圧迫が解除された場合には、弾性部材２４０が弾性復元力によって開閉部材２３０を連結ハウジング２２０の中空２２０ａから遠ざかるように移動（下降）させることにより、開閉部材２３０が連結ハウジング２２０の中空２２０ａを塞ぐことになる。
【００３６】
さらに具体的には、前記開閉部材２３０は、開閉バー２３１と針ホルダー２３２を備えることができる。
【００３７】
ここで、前記開閉バー２３１は、連結ハウジング２２０の中空２２０ａに貫通配置される。
【００３８】
このような開閉バー２３１は、連結ハウジング２２０の中空２２０ａを遮断するように、収容部材１００の吐出部１００ａ側の端部に側方向に拡張された拡張部２３１ａが設けられる。
【００３９】
この際、前記拡張部が連結ハウジング２２０の中空２２０ａを収容部材１００の吐出部１００ａ側で塞ぐ場合には、連結ハウジング２２０の中空２２０ａが遮断されて流体が針部材２１０側へ流れず、拡張部が連結ハウジング２２０の中空２２０ａから収容部材１００の吐出部１００ａ側に離隔した場合には、連結ハウジング２２０の中空２２０ａが遮断されないことにより、流体が連結ハウジング２２０の中空２２０ａを介して針部材２１０側へ流れる。
【００４０】
また、前記針ホルダー２３２は、開閉バー２３１における、中空２２０ａの外部側の端部に連結される。
【００４１】
このような針ホルダー２３２は、針部材２１０が回転できるように針部材２１０の両側部を支持する構造を取る。すなわち、一例として図示されているように、針ホルダー２３２は、針部材２１０のボディ部２１１に設けられた側部溝２１１ａに嵌め込まれるように支持突起２３２ａが両側内面に突設できる。この際、前記側部溝２１１ａと支持突起２３２ａは、針部材２１０の回転ができるように円形構造を取る。
【００４２】
また、前記開閉バー２３１は、外周面に中空２２０ａと連通する溝条２３１ｂが長さ方向に沿って凹設できる。
【００４３】
前記収容部材１００の吐出部を介して吐出された流体は、針部材２１０側へ移動するために連結ハウジング２２０の中空２２０ａを通過しなければならないが、開閉バー２３１が連結ハウジング２２０の中空２２０ａの内面とほぼ接触した状態である場合には、隙間が殆どないので、連結ハウジング２２０の中空２２０ａを介した流体の移動量が微々たるものという限界点がある。
【００４４】
これを防止するために、開閉バー２３１は、連結ハウジング２２０の中空２２０ａと連通するように外周面に長さ方向に沿って溝条２３１ｂが凹設されることにより、連結ハウジング２２０の中空２２０ａの内側に流入した流体の十分な量が開閉バー２３１の溝条２３１ｂを介して針部材２１０側へ円滑かつ容易に流れて移動することができる。
【００４５】
さらに、たとえ図示されてはいないが、他の一例として、前記開閉バー２３１は、外周面が連結ハウジング２２０の中空２２０ａの内面と一定間隔離間した状態を維持することにより、連結ハウジング２２０の中空２２０ａの内側に流入する流体が連結ハウジング２２０の中空２２０ａの内面と開閉バー２３１との離間間隔を介して針部材２１０側へ円滑かつ容易に流れて移動することができる。
【００４６】
一方、前記連結ハウジング２２０の中空２２０ａは、収容部材１００の吐出部１００ａの反対側にテーパーするように形成できる。
【００４７】
前記連結ハウジング２２０は、収容部材１００の吐出部１００ａが挿入されて組み立てられる組立溝２２０ｄを有するが、収容部材１００の吐出部１００ａを介して吐出された流体が最初に組立溝２２０ｄ内に留まる。
【００４８】
このとき、もし前記中空２２０ａにおける、収容部材１００の吐出部１００ａ側の部分がテーパーせず単に直角構造である枠構造を取った場合は、流体が連結ハウジング２２０の中心部の中空２２０ａ側に流入し難くなるが、収容部材１００の吐出部１００ａ側の部分が漏斗形状をしてテーパーした構造を取った場合は、収容部材１００の吐出部１００ａを介して吐出された流体が連結ハウジング２２０の中空２２０ａの内側へ円滑且つ容易に収集できる。
【００４９】
これに加えて、前記針ホルダー２３２は、開閉バー２３１が貫通締結される貫通ホール２３２ｂを有する。前記針ホルダー２３２における、収容部材１００の吐出部１００ａ側の一面には、流体の収集をガイドする収集溝２３２ｃが設けられ得る。この際、前記収集溝２３２ｃは、貫通ホール２３２ｂを中心部にしながら収容部材１００の吐出部１００ａの反対側にテーパーした構造を取る。
【００５０】
具体的に、前記連結ハウジング２２０の中空２２０ａを介して移動した流体は、針ホルダー２３２の貫通ホール２３２ｂを通過して針部材２１０側へ移動する過程で、連結ハウジング２２０の中空２２０ａと針ホルダー２３２の貫通ホール２３２ｂとの間に設けられた内部空間に一定の量が留まることになるが、針ホルダー２３２の貫通ホール２３２ｂ側へ流体が円滑かつ容易に収集されるために、好ましくは、針ホルダーにおける、収容部材１００の吐出部１００ａ側の一面に、貫通ホール２３２ｂを中心部にしながら収容部材１００の吐出部１００ａの反対側にテーパーした収集溝２３２ｃが設けられ得る。
【００５１】
次に、上述したローラー型流体注入装置１０００が皮膚１をローリング圧迫して施術する状態での流体の移動過程を、図５を参照して説明する。
【００５２】
被施術者の皮膚１上に針部材２１０をローリング圧迫すると、針部材２１０及びこれに締結された開閉部材２３０は、皮膚１上での高さの変化がなくなるが、施術者の手に把持された収容部材１００の下方圧迫により、収容部材１００と連結ハウジング２２０は下方に下がる。
【００５３】
これにより、前記開閉部材２３０の開閉バー２３１に形成された拡張部２３１ａが連結ハウジング２２０の中空２２０ａの上部内面から上方に移動して離隔することにより、収容部材１００の吐出部１００ａを介して吐出された流体の流路としての役割を果たす、連結ハウジング２２０の中空２２０ａが開放される。
【００５４】
このような状態で、前記収容部材１００の吐出部１００ａから吐出された流体は、中空２２０ａを介して下降するが、具体的には、開閉バー２３１の溝条２３１ｂに沿って下側に移動し、最終的には針ホルダー２３２の貫通孔２３２ｂを介して針部材２１０まで移動する。その結果として、針部材２１０によって形成された皮膚１の微細孔を介して皮膚１に注入される。
【００５５】
ちなみに、施術者が収容部材１００を持ち上げて被施術者の皮膚１から針部材２１０のローリング圧迫が解除されると、図４に示すように、弾性部材２４０の上端部が連結ハウジング２２０に支持された状態で針ホルダー２３２を下方に押し出すことにより、開閉バー２３１が下降するにつれて開閉バー２３１の拡張部２３１ａが連結ハウジング２２０の中空２２０ａを遮断する。
【００５６】
つまり、本考案に係るローラー型流体注入装置１０００は、皮膚１に針部材２１０をローリング圧迫して微細孔を形成させるとともに、吐出部１００ａから針部材２１０側につながる流体の流路を開放させ、収容部材１００の吐出部１００ａを通過した流体を微細孔を介して皮膚１に注入させるように注入ユニット２００を構成することにより、針部材２１０によって皮膚１に微細孔を短時間で多く穿孔させるとともに微細孔を介して大量の流体を皮膚１に注入させるので、皮膚１への流体注入率を向上させることができる。
【００５７】
以上のように、本考案は、たとえ限定された実施形態と図面によって説明されたが、本考案は、これによって限定されず、本考案の属する技術分野における通常の知識を有する者によって本考案の技術思想と特許請求の範囲の均等範囲内で多様な修正及び変形が可能である。
【符号の説明】
【００５８】
１    皮膚
１０００    ローラー型流体注入装置
１００    収容部材
１００ａ    吐出部
２００    注入ユニット
２１０    針部材
２１１    ボディ部
２１１ａ    側部溝
２１２    針部
Ｈ    ハウジング組立体
２２０    連結ハウジング
２２０ａ    中空
２２０ｂ    ローラー溝
２２０ｃ    ガイド溝
２２０ｄ    組立溝
２３０    開閉部材
２３１    開閉バー
２３１ａ    拡張部
２３１ｂ    溝条
２３２    針ホルダー
２３２ａ    支持突起
２３２ｂ    貫通ホール
２３２ｃ    収集溝
２４０    弾性部材
【図１】
0003218942.tif 000003
【図２】
0003218942.tif 000004
【図３】
0003218942.tif 000005
【図４】
0003218942.tif 000006
【図５】
0003218942.tif 000007
【図６】
0003218942.tif 000008
【図７】
0003218942.tif 000009